(57)【要約】  器具は、本体を搭載するための取付機構を含む本体および本体に一体化されたツイストタイを含む。【選択図】図１
2016515076.tif 000002
【特許請求の範囲】
【請求項１】
ツイストタイと、
前記ツイストタイ用ループ状端部とを備え、
前記ループ状端部は前記ツイストタイの周りに成形される、物品を固定する器具。
【請求項２】
前記ツイストタイが、
形状を維持する可塑性材料の細長い部品と、
前記細長い部品の長さに亘って前記形状を維持する可塑性材料を覆うカバーであって、前記カバーおよび前記形状を維持する可塑性材料がそれらの長さに亘って結合される、カバーと、
前記カバーを覆う、前記カバーに結合された外側カバーとを含み、前記カバーは内面を有し、前記カバーは前記カバーの全内面に亘って形状を維持する可塑性材料の前記細長い部品に結合され、前記カバーは５０Ａより高いデュロメーターを有し、外側カバーは５０Ａ未満のデュロメーターを有する、請求項１に記載の器具。
【請求項３】
前記外側カバーがリブを有する、請求項２に記載の器具。
【請求項４】
前記カバーおよび外側カバーは熱可塑性ポリマーである、請求項２に記載の器具。
【請求項５】
前記外側カバーは、前記カバーよりも軟らかい材料で構成される、請求項２に記載の器具。
【請求項６】
前記ツイストタイがグリップ面を有する、請求項１に記載の器具。
【請求項７】
前記グリップ面が外側方向に延在するリブを含む、請求項６に記載の器具。
【請求項８】
前記カバーは約８５Ａのデュロメーターを有し、前記外側カバーは約１５Ａのデュロメーターを有する、請求項２に記載の器具。
【請求項９】
前記ループ状端部が円形の開口部を有する、請求項１に記載の器具。
【請求項１０】
前記ループ状端部がガラス繊維を含むナイロンで構成される、請求項１に記載の器具。
【請求項１１】
前記外側カバーは、ツイストタイ装置が一緒に撚り合わさるときに、物体を掴みまたは前記ツイストタイ装置を掴むために、高摩擦のグリップ面を提供する、請求項２に記載の器具。
【請求項１２】
本体を搭載するための取付機構を含む本体と、
ツイストタイとを備え、前記ツイストタイは前記本体に一体化される、物品を固定するための器具。
【請求項１３】
前記取付機構は連結器を受けるための前記本体にある孔である、請求項１２に記載の器具。
【請求項１４】
前記取付機構は、締結具を受けるための前記本体に画定された領域であり、前記画定された領域は、前記画定された領域を取り囲む隆起した外周部を含み、前記隆起した外周部は、前記画定された領域が前記締結具によって貫通されたときに、前記本体が分離することを防ぐ、請求項１３に記載の器具。
【請求項１５】
前記取付機構は、スラットボードに挿入するよう構成された、Ｌ字形状のアームである、請求項１３に記載の器具。
【請求項１６】
前記取付機構が前記本体から延在するノブを含み、前記ノブは、前記ノブの頭部よりも狭い続きの部分を含み、
前記ノブはねじ式の軌道搭載システムの軌道の中にスライドするよう構成された、請求項１３に記載の器具。
【請求項１７】
前記軌道は前記ノブの前記頭部を保持するための上部および底部の保持部を含む、請求項１６に記載の器具。
【請求項１８】
前記ツイストタイは前記ツイストタイの周りで前記本体を成形することにより、前記本体に一体化される、請求項１３に記載の器具。
【請求項１９】
前記ツイストタイは、前記ツイストタイをスライド可能に受けるようにサイズ調整された開口部を成形することにより、前記本体に一体化される、請求項１３に記載の器具。
【請求項２０】
前記開口部は、前記開口部と前記ツイストタイとの間の、追加摩擦を提供するための歯を含む、請求項１９に記載の器具。
【請求項２１】
前記ツイストタイは、前記ツイストタイを受けるようサイズ調整されたスロットを設けることによって、前記本体に一体化される、請求項１３に記載の器具。
【請求項２２】
前記スロットが前記開口部と前記ツイストタイとの間の追加摩擦を提供するためのリッジを含む、請求項２１に記載の器具。
【請求項２３】
ツイストタイと、
取付機構を含む、前記ツイストタイを受ける本体と、
前記取付機構を使用して前記本体に取り付けられた装飾用付属品とを備える、物品を固定するための器具。
【請求項２４】
前記取付機構が、前記取付機構と前記装飾用付属品のうちの一方にある支柱と、
前記取付機構と前記装飾用付属品のうちの一方にある受具とを利用する、摩擦嵌め機構であり、前記受具が前記支柱を圧縮し、摩擦によって前記支柱を保持する、請求項２３に記載の器具。
【請求項２５】
前記取付機構はスナップ嵌め機構である、請求項２３に記載の器具。
【請求項２６】
前記装飾用付属品は取り外しが可能で、かつ別の装飾用付属品と取り換えが可能である、請求項２３に記載の器具。
【請求項２７】
前記本体が前記ツイストタイの周りに成形されている、請求項２３に記載の器具。
【発明の詳細な説明】
【技術分野】
【０００１】
ツイストタイは様々な物体を固定し保持するために使用され得る。物体が有用な位置で固定され得るように、様々な一時的およびより恒久的な構成で、特に性能特性が最上位であるツイストタイを搭載することはユーザにとって望ましい。
【発明の概要】
【０００２】
一実施形態では、物品を固定するための器具は、ツイストタイおよびツイストタイ用のループ状端部を含み、ループ状端部は、ツイストタイの周りに成形される。所望により、ツイストタイは、形状を維持する可塑性材料でできた細長い部品と、細長い部品の長さに亘って形状を維持する可塑性材料で覆うカバーとを含み、カバーおよび形状を維持する可塑性材料はそれらの長さに亘って結合される。所望により、ツイストタイはカバーを覆う外側カバーを含み、外側カバーはカバーに結合され、カバーは内面を有し、カバーの全内面に亘って形状を維持する可塑性材料の細長い部品に結合され、カバーは５０Ａより高いデュロメーターを有し、外側カバーは５０Ａ未満のデュロメーターを有する。一つの代替手段としては、外側カバーはリブを有する。別の代替手段としては、カバーおよび外側カバーは熱可塑性ポリマーでできている。所望により、外側カバーはカバーよりも軟らかい材料で構成される。一つの代替手段としては、ツイストタイはグリップ面を有する。別の代替手段としては、グリップ面は外側に延在するリブを含む。所望により、カバーはデュロメーターが約８５Ａであり、外側カバーはデュロメーターが約１５Ａである。一つの構成においては、ループ状端部は円形の開口部を有する。別の構成においては、ループ状端部はガラス繊維を含むナイロンで構成される。所望により、外側カバーは、装置が一緒に撚り合わされるときに、物体を掴みまたはツイストタイ装置を掴むために、高摩擦のグリップ面を提供する。
【０００３】
別の実施形態では、器具は、本体を搭載するための取付機構を含む本体と、本体に一体化されたツイストタイを含む。所望により、取付機構は連結器を受けるため本体にある孔である。一つの代替手段としては、取付機構は締結具を受けるための本体に画定された領域であり、画定された領域は、画定された領域を取り囲む隆起した外周部を含み、隆起した外周部は、画定された領域が締結具によって貫通されたときに、本体が分離することを防ぐ。別の代替手段としては、取付機構は、スラットボード(slatboard)に挿入するよう構成されたＬ字形状のアームである。所望により、取付機構は本体から延在するノブを含み、ノブは、前記ノブの頭部よりも狭い続きの部分を含み、ノブは軌道搭載システムのねじの軌道の中にスライドするよう構成される。あるいは、軌道はノブの頭部を保持するための上部および底部の保持部を含む。所望により、ツイストタイはツイストタイの周りに本体を成形することにより、本体に一体化される。一つの構成においては、ツイストタイは、スライド可能にツイストタイを受けるようサイズ調整された開口部を成形することによって、本体に一体化される。一つの構成では、開口部は開口部とツイストタイとの間の追加摩擦を提供するための歯を含む。別の構成においては、ツイストタイは、ツイストタイを受けるようサイズ調整されたスロットを設けることによって、本体に一体化される。所望により、スロットは開口部とツイストタイとの間の追加摩擦を提供するためのリッジを含む。
【０００４】
別の実施形態では、物品を固定するための器具は、ツイストタイと、取付機構を含むツイストタイを受ける本体と、取付機構を使用して本体に取り付けられた装飾用付属品とを含む。所望により、取付機構は、取付機構と装飾用付属品のうちの一方にある支柱と、取付機構と装飾用付属品のうちの一方にある受具とを利用する、摩擦嵌め機構であり、受具が圧縮し摩擦によって支柱を保持する。あるいは、取付機構はスナップ嵌め機構である。別の代替手段としては、装飾用付属品は取り外しが可能で、かつ別の装飾用付属品と取り換えが可能である。所望により、本体はツイストタイの周りに成形される。
【図面の簡単な説明】
【０００５】
【図１】円環端部を有するツイストタイの一実施形態を示す図である。
【図２】図１のツイストタイの断面図である。
【図３】円環端部を有するツイストタイの追加の実施形態を示す図である。
【図４】ねじの搭載が可能なツイストタイの実施形態を示す図である。
【図５】図５ａは、ねじの搭載が可能なツイストタイの一実施形態の断面図である。図５ｂは、ねじの搭載が可能なツイストタイの一実施形態の断面図である。
【図６】ねじの搭載が可能なツイストタイの追加の実施形態を示す図である。
【図７】ねじの搭載が可能なツイストタイの追加の実施形態を示す図である。
【図８】ねじの搭載が可能なツイストタイの追加の実施形態を示す図である。
【図９】ねじの搭載が可能なツイストタイの追加の実施形態を示す図である。
【図１０】スロットの搭載が可能なツイストタイの実施形態を示す図である。
【図１１】図１０のツイストタイの取付台の断面図である。
【図１２】図１０のツイストタイを搭載するためのスロットの断面図である。
【図１３】図１３ａは、ねじの搭載が可能なツイストタイの実施形態を示す図である。図１３ｂは、図１３ａの断面図である。
【図１４】図１４ａは、スラットボード搭載ツイストタイの一実施形態を示す図である。図１４ｂは、スラットボード搭載ツイストタイの一実施形態を示す図である。
【図１５】図１５ａは、スラットボード搭載ツイストタイの一実施形態を示す図である。図１５ｂは、スラットボード搭載ツイストタイの一実施形態を示す図である。
【図１６】図１６ａは、スラットボード搭載ツイストタイの一実施形態を示す図である。図１６ｂは、スラットボード搭載ツイストタイの一実施形態を示す図である。
【図１７】装飾用付属品を有するツイストタイの一実施形態を示す図である。
【図１８】図１７の分解図である。
【図１９】図１７の断面図である。
【図２０】装飾用付属品を受けるためのツイストタイの代替的実施形態を示す図である。
【発明を実施するための形態】
【０００６】
本明細書で記載されるのは、搭載可能および取付可能なツイストタイとその使用、製造方法の実施形態である。
【０００７】
図１は搭載可能および取付可能なツイストタイの一実施形態を示し、具体的には、円環端部を有するツイストタイ１００の実施形態を示す。円環端部を有するツイストタイ１００は、ツイストタイ部１１０および成形された円環端部１２０を含む。円環端部を有するツイストタイ１００は、ツイストタイ部１１０の周りの円環端部１２０を成形することによって形成される。円環端部１２０は、プラスチック類、ゴム類、ナイロン等を含む、様々な材料で構成され得るがこれらに限定されない。示されている実施形態では、円環端部１２０はガラス繊維を含むナイロンで構成される。示されている実施形態では、ツイストタイ部１１０は、Ｇｅａｒ  Ｔｉｅ（商標）というツイストタイであり、その機能を改善する独特な特徴を含む。Ｇｅａｒ  Ｔｉｅ（商標）ツイストタイは、５０ショアＡ未満のデュロメーターを有する、より軟らかいデュロメーターの外側プラスチック層を含み、５０ショアＡより高いデュロメーターの、より硬い内側プラスチック層を有する。さらに、内側層はワイヤに結合され、外側層は内側層に結合される。円環端部を有するツイストタイ１００のいくつかの代替手段では、ツイストタイ部は、デュロメーターが１００ショアＡ未満である、より軟らかい外側層を有する。いくつかの代替手段においては、この外側のデュロメーターは５０ショアＡ未満である。より軟らかい外側プラスチック層を有するこれらの実施形態においては、ツイストタイ部は、円環端部１２０の開口部を貫通され得る。デュロメーターが外側層よりも軟らかい場合には、この構成は僅かに外側層を圧縮し、しっかりとループ状の構成を保持する結果となり得る。この代替手段およびその他の関連する代替手段においては、円環端部１２０の開口部は、ツイストタイ部１１０を収容するようサイズ調整され得る。開口部はツイストタイ１１０の直径よりも僅かに小さくされ得る。さらに、円環端部１２０の開口部は、ツイストタイ１１０が開口部に通された場合にツイストタイ１１０を把持する力を増加されることが可能な突起または歯を含んでもよい。
【０００８】
図２は、円環端部を有するツイストタイ１００の切り欠き図を示す。ツイストタイ１１０は、周りにナイロン部１３０が成形された、所定位置に成形された部分１２５を含む。ツイストタイ１１０は、領域１４０の上部に延在するように成形され得る。
【０００９】
図３は、形成され得る円環端部３０１、３０２、１００を有する様々な寸法のツイストタイを示す。様々な形状が、円環端部３０１、３０２、１００を有するＧｅａｒ  Ｔｉｅの端部に成形され得る。前と同じように、円環端部３０１、３０２、１００を有するツイストタイは、ツイストタイ３１０、１１０および円環３２０、３２１、１２０を含む。示されている実施形態では、円環端部３０１、３０２、１００を有するツイストタイは、円環状端部を有する。代替手段においては、その他の形状は端部で成形され得る。円環端部は、Ｓ−Ｂｉｎｅｒのダブルゲートカラビナに類似した、ダブルゲートカラビナなどのような、キーホルダーまたは取付機構に設置されるよう構成され得る。これは円環端部３０１、３０２、１００を有するツイストタイの最適な係合および取付に提供され得る。
【００１０】
図４から図６は、搭載可能かつ取付可能なツイストタイの別の実施形態を示す。図４は、ねじが搭載可能なツイストタイ４００を示す。ねじが搭載可能なツイストタイ４００は、ツイストタイ４１０を含む（上記で説明されたようにＧｅａｒ  Ｔｉｅでよく、上記で説明されたように、独特のデュロメーターと結合特徴を有してよい）。取付台４２５はツイストタイ４１０に成形される。本明細書に記載されたすべての実施形態と同様に、この成形は、ツイストタイ４１０用の保持具を有する、特殊な形状に成形されたツイストタイ４１０を配置し、次いでツイストタイ４１０の周りに成形することにより行われ得る。取付台４２５は、付属品取付領域４２０を含み、釘またはねじがその中を通って打ち込まれ得る。取付領域４２０は、取付台４２０の材料が取れることを防ぐよう支援する、隆起したリップ部を含む。取付台４２０は、プラスチック、ナイロン、ガラス繊維を含む、様々な材料で構成され得るがこれらに限定されない。本願を通じて、ガラス繊維を含むナイロンを含む実施形態は、ガラス繊維を３０％有するナイロン６６で構成され得る。
【００１１】
図６は、ねじが取付可能なツイストタイ４００の代替的実施形態を示し、ツイストタイ４１０の開口部は成形されず、ツイストタイ４１０に結合される。この場合、ツイストタイ４１０は、矢印６１０に従って前後にスライドされ得る。
【００１２】
図５ａは、図６の断面図を示し、取付台４２０は開口部５２０および歯５１０を含む。開口部５２０は、ツイストタイ４１０の直径よりも僅かに大きいか、または僅かに小さくサイズ調整され得る。いくつかの代替手段においては、ねじの追加は、開口部５２０を僅かに圧縮させ、歯５２１にツイストタイ４１０をよりしっかりと掴ませる。本明細書に記載されたすべての実施形態において、ツイストタイ４１０（１１０等）は、ツイストタイ４１０のグリップ性を増すために、外表面に形成されたリッジを含み得る。
【００１３】
図５ｂは、図４の実施形態の断面図を示し、開口部５２０はツイストタイ４１０の周りに、結合され、移動不可能な方法で直接、成形される。
【００１４】
図７は、２つのツイストタイ７１０、取付台７２０およびねじ受具７３０を含む、ねじが搭載可能なツイストタイ７００の別の実施形態を示す。本実施形態は、ねじが搭載可能なツイストタイ４００と同様に、示されたように固定された態様で組み立てられてよく、またはねじが搭載可能なツイストタイ６００（図示せず）と同様に構成され得る。図８は、２つのツイストタイ８１０、取付台８２０およびねじ受具８３０を含む、ねじが搭載可能なツイストタイ８００の別の実施形態を示す。本実施形態は、ねじが搭載可能なツイストタイ４００と同様に、示されたように固定された態様で組み立てられてよく、またはねじが搭載可能なツイストタイ６００（図示せず）と同様に構成され得る。図９は、ツイストタイ９１０、取付台９２０およびねじ受具９３０を含む、ねじが搭載可能なツイストタイ９００の別の実施形態を示す。本実施形態は、ねじが搭載可能なツイストタイ４００と同様に、示されたように固定された態様で組み立てられてよく、またはねじが搭載可能なツイストタイ６００（図示せず）と同様に構成され得る。本開示の見地から当業者には明白であるように、様々な搭載や配置、いくつかのツイストタイが可能である。
【００１５】
図１０は、搭載可能かつ取付可能なツイストタイの別の実施形態を示す。スロットが搭載可能なツイストタイシステム１０１０は、軌道１０３０に嵌合するように構成された、スロットが搭載可能なツイストタイ１０２０を含む。軌道１０３０は、スライド領域１０５０、先端キャップ１０４０および上部と底部の突出部１０４５を含む。スロットが搭載可能なツイストタイ１０２０は、本体部１０７０およびツイストタイ１０６０を含む。操作においては、スロットが搭載可能なツイストタイ１０２０は、先端キャップ１０４０を取り外した後、スライド領域１０５０にスライドされ得る。軌道１０３０は、ねじ、釘、ボルトまたはその他の取付機構を有するスロットが搭載可能なツイストタイシステム１０１０を搭載するために使用され得る、複数の取付孔１０５５を含んでよい。
【００１６】
図１１は、スロットが搭載可能なツイストタイ１０２０の側面図を示す。スロットが搭載可能なツイストタイ１０２０は、突出部１０４５の下で嵌合するタブ１１３０のついたＴ字形状を有するスライド取付台１１２０を含む。あるいは、様々なスライド取付台の形状および構成は、本開示の見地から、当業者には明白である。スロットが搭載可能なツイストタイ１０２０はさらに、受入スロット１１１０を含む。ツイストタイ１０６０がさらにこれらの突出部によって掴まれ得るように、本体１０７０の正面に隣接する受入スロットの前側（および後側）は、歯、リブまたは突出部を含み得る。示されている実施形態では、ツイストタイはスロット１１１０内で様々に異なる構成で再配置され得る。
【００１７】
図１２は軌道１０３０の側面図を示す。タブ１１３０は領域１２１０に嵌合し、軌道１０３０において、スロットが搭載可能なツイストタイ１０２０を保持する。
【００１８】
図１３ａは、搭載可能かつ取付可能なツイストタイの別の実施形態を示す。本実施形態では、取付台１３１０は、孔１３２０を使用して搭載されてよく、ねじ、釘またはその他の締結具を受け得る。取付台１３１０は、前本体部１３４０およびツイストタイ１３３０を含む。本実施形態は、軌道取付台の代わりにねじ取付台を含むことを除いて、図１０の実施形態に類似している。図１３ｂは、取付台１３１０の断面図を示す。取付台１３１０は、Ｇｅａｒ  Ｔｉｅ１３３０を受けるためのスロット１３５０を含む。前本体部１３４０の後側もまた、上述のように、ツイストタイ１３３０がスライドすることを防ぐリブを含み得る。
【００１９】
図１４ａから図１５ｂは、搭載可能かつ取付可能なツイストタイの別の実施形態を示す。図１４ａは、ツイストタイ１４２０を有するスラットボード搭載可能取付台１４１０を示す。上記のように、ツイストタイ１４２０は、取付台１４１０に、スライド可能に搭載され、取り外し可能に搭載されるか、または恒久的に固定され得る。図１４ｂは、スラット挿入アーム１４３０および留め釘１４４０を含む、取付台１４１０の側面図を示す。図１５ａは、ツイストタイ１５２０を有するスラットボード搭載可能取付台１５１０を示す。ツイストタイ１５２０は恒久的に取付台１５１０に固定される。図１５ｂは、スラット挿入アーム１５３０および留め釘１５４０を含む、取付台１５１０の側面図を示す。
【００２０】
図１６ａは、ツイストタイ１６２０を有するスラットボード搭載可能取付台１６１０を示す。上記のように、ツイストタイ１６２０は、取付台１６１０に、スライド可能に搭載され、取り外し可能に搭載され、または恒久的に固定され得る。図１６ｂは、スラット挿入アーム１６６０および留め釘１６７０を含む、取付台１６１０の側面図を示す。この場合、取付台１６１０は、ツイストタイ１６２０を取り外すように構成され、スロット１６５０および湾曲された下部１６４０を有する。取り外し可能なツイストタイを有する前述の取付台と同様に、湾曲された下部１６４０は、ツイストタイ１６２０のより大きな領域に渡って重量の分散を提供する。これはツイストタイ１６２０の破損を防ぎ、ツイストタイ１６２０が取付台１６１０の本体に接触する表面積を増加させることを支援し、スライドを防ぐための摩擦をより大きくする結果となる。
【００２１】
図１７は、搭載可能かつ取付可能なツイストタイの別の実施形態を示す。ここで、取り換え可能な装飾用端部１７００を有するツイストタイが示されている。任意の形状で、様々な図案や色であり得る装飾用上部１７２０、ツイストタイ１７１０および基部１７３０が含まれる。
【００２２】
図１８は、取り換え可能な装飾用端部１７００を有するツイストタイの分解図を示す。スナップ嵌合雄型末端部１８１０は、基部１８２０と同様に示されている。図１９において、取り換え可能な装飾用端部１７００を有するツイストタイの係合および配置が、示されている。ここで明白なのは、ツイストタイ１７１０がいかに基部１７３０に嵌合し、スナップ嵌合雄型末端部１８１０が装飾用上部１７２０と一体化しているかである。スナップ嵌合雄型末端部１８１０の片方の端部１９４０は、装飾用上部１７２０に接着剤でつけられてよく、または別の方法で取り付けられてよい。その他の端部は、くさび型開口部１９３０をくさびで固定し、垂直の保持具１９２０をしっかりと保持するよう構成された、雄型のくさびおよびタブ部１９１０を含む。図２０は、装飾用カバーのない、取り換え可能な装飾用端部２０００を有する、ツイストタイの別の実施形態を示す。この代替手段において、基部２０２０の輪郭は低減される。取り換え可能な装飾用端部２０００を有するツイストタイは、装飾用上部（図示せず）用の受入開口部２０４０および受入ツイストタイ２０１０用の開口部２０３０を含む。この代替手段において、受入開口部は、単に摩擦ベースの保持具でよく、開口部２０３０よりも僅かに大きくなるように、または開口部が僅かに狭くなるように（またはその両方）、留め釘が角度をつけられている。
【００２３】
前述の詳細な説明は、搭載可能および取付可能なツイストタイと、搭載可能および取付可能なツイストタイのシステムを作製するためのシステムおよび方法を実行するための、少数の実施形態に関するものであり、範囲を限定することを意図するものではない。添付の特許請求の範囲は、搭載可能および取付可能なツイストタイを作製するためのシステムおよび方法と、搭載可能および取付可能なツイストタイのシステムのいくつかの実施形態を、大いなる特殊性をもって開示され、説明されている。
【図１】
2016515076.tif 000003
【図２】
2016515076.tif 000004
【図３】
2016515076.tif 000005
【図４】
2016515076.tif 000006
【図５Ａ】
2016515076.tif 000007
【図５Ｂ】
2016515076.tif 000008
【図６】
2016515076.tif 000009
【図７】
2016515076.tif 000010
【図８】
2016515076.tif 000011
【図９】
2016515076.tif 000012
【図１０】
2016515076.tif 000013
【図１１】
2016515076.tif 000014
【図１２】
2016515076.tif 000015
【図１３Ａ】
2016515076.tif 000016
【図１３Ｂ】
2016515076.tif 000017
【図１４Ａ】
2016515076.tif 000018
【図１４Ｂ】
2016515076.tif 000019
【図１５Ａ】
2016515076.tif 000020
【図１５Ｂ】
2016515076.tif 000021
【図１６Ａ】
2016515076.tif 000022
【図１６Ｂ】
2016515076.tif 000023
【図１７】
2016515076.tif 000024
【図１８】
2016515076.tif 000025
【図１９】
2016515076.tif 000026
【図２０】
2016515076.tif 000027
【国際調査報告】
2016515076.tif 000028